(57)【要約】【課題】交差穴の第１穴と第２穴との稜部に形成されたバリをより確実に除去することが可能なバリ取り工具およびバリ取り方法を提供する。【解決手段】バリ取り工具４を軸線方向へ往復動させることにより、交差穴の第１穴１と第２穴２との稜部３に形成されたバリを、第２穴２に挿入されたバリ取り部６の切刃形成部９の環形状の切刃１３により削ぎ落として除去することができる。これにより、面取りによりバリを除去する従来技術のバリ取り工具を利用した場合に完全に除去することが困難であった交差穴の稜部３に形成されたバリ、特に、第１穴１の内径d1と第２穴の内径d2との交差穴比d1/d2が比較的小さい交差穴の稜部３に形成されたバリであっても、確実に除去することができる。【選択図】図５
2011110667.tif 000002
【特許請求の範囲】
【請求項１】
交差穴の第１穴と該第１穴の内径よりも小さい内径を有する第２穴との稜部に形成されたバリを除去する軸形状のバリ取り工具であって、
前記バリ取り工具は、先端部に、前記第２穴の内径に対応する外径を有するバリ取り部を備え、
前記バリ取り部は、外周面に環形状に形成された少なくとも１つの溝と、該溝と前記外周面との各稜部に形成された環形状の切刃と、を備え、
前記バリ取り部を前記第２穴に挿入して軸方向へ往復動させることにより、前記第１穴と前記第２穴との稜部に形成されたバリが、前記バリ取り部の切刃により削ぎ落とされて除去されることを特徴とするバリ取り工具。
【請求項２】
前記バリ取り部は、先端部から軸方向へ延びる少なくとも１つのすり割りを有することを特徴とする請求項１に記載のバリ取り工具。
【請求項３】
前記バリ取り部とシャンク部との間に、前記シャンク部の外径よりも小さい外径を有するベンディング部を備え、該ベンディング部を前記バリ取り部と前記第２穴との芯ずれ量に応じて撓ませることにより、前記バリ取り部を前記第２穴に対して芯出しすることを特徴とする請求項１または２に記載のバリ取り工具。
【請求項４】
前記バリ取り部は、先端部に、前記バリ取り部を前記第２穴の中へ案内する案内部を備えることを特徴とする請求項１〜３のいずれかに記載のバリ取り工具。
【請求項５】
交差穴の第１穴と該第１穴の内径よりも小さい内径を有する第２穴との稜部に形成されたバリを除去する方法であって、
バリ取り工具の先端部のバリ取り部を前記第２穴に挿入し、前記バリ取り工具を軸方向へ往復動させることにより、前記第１穴と前記第２穴との稜部に形成されたバリを前記バリ取り部に形成された環形状の切刃により削ぎ落として除去することを特徴とするバリ取り方法。
【請求項６】
前記バリ取り工具を軸方向へ往復動させた時に、前記バリ取り部に形成された少なくとも１つのすり割りを利用して、前記バリ取り部の外径を前記第２穴の内径に応じて縮径／拡径させることにより、前記バリ取り部を前記第２穴に調和させることを特徴とする請求項５に記載のバリ取り方法。
【請求項７】
前記バリ取り部とシャンク部との間に形成されたベンディング部を、前記バリ取り部と前記第２穴との芯ずれ量に応じて撓ませることにより、前記バリ取り部を前記第２穴に対して芯出しすることを特徴とする請求項５または６に記載のバリ取り方法。
【請求項８】
前記バリ取り部の先端部に形成された案内部により、前記バリ取り部を前記第２穴の中へ案内することを特徴とする請求項５〜７のいずれかに記載のバリ取り方法。
【発明の詳細な説明】
【技術分野】
【０００１】
本発明は、バリ取り工具およびバリ取り方法に関するもので、特に、交差穴の第１穴と第２穴との稜部に形成されたバリを除去するためのバリ取り工具およびバリ取り方法に関する。
【背景技術】
【０００２】
交差穴が形成される対象には、例えば、自動車のオートマチックトランスミッションのキャリア部品がある。一般に、キャリア部品に交差穴を加工する場合、ワーク（基材）に第１ドリルにより第１穴を加工した後、第２穴を、第１ドリルよりも小径の第２ドリルにより第１穴の内側面（内円筒面）に開口するように加工する。このように加工された交差穴は、第１穴と第２穴との稜部にバリが発生する。該稜部は三次元に広がるため、面取りによりバリを除去する従来技術のバリ取り工具（例えば、特許文献１参照）を利用した場合、当該バリを確実に除去するのは困難である。そして、このような稜部のバリは、第１穴の内径d1と第２穴の内径d2との比率（d1/d2：以下、交差穴比という）が小さい程、除去するのが困難である。
【先行技術文献】
【特許文献】
【０００３】
【特許文献１】特開２００５−１６９５１７号公報
【発明の概要】
【発明が解決しようとする課題】
【０００４】
そこで本発明は、上記事情に鑑みてなされたもので、交差穴の第１穴と第２穴との稜部に形成されたバリをより確実に除去することが可能なバリ取り工具およびバリ取り方法を提供することを課題としてなされたものである。
【課題を解決するための手段】
【０００５】
上記課題を解決するために、本発明のバリ取り工具は、交差穴の第１穴と該第１穴の内径よりも小さい内径を有する第２穴との稜部に形成されたバリを除去する軸形状のバリ取り工具であって、前記バリ取り工具は、先端部に、前記第２穴の内径に対応する外径を有するバリ取り部を備え、前記バリ取り部は、外周面に環形状に形成された少なくとも１つの溝と、該溝と前記外周面との各稜部に形成された環形状の切刃と、を備え、前記バリ取り部を前記第２穴に挿入して軸方向へ往復動させることにより、前記第１穴と前記第２穴との稜部に形成されたバリが、前記バリ取り部の切刃により削ぎ落とされて除去されることを特徴とする。
【０００６】
上記課題を解決するために、本発明のバリ取り方法は、交差穴の第１穴と該第１穴の内径よりも小さい内径を有する第２穴との稜部に形成されたバリを除去する方法であって、バリ取り工具の先端部のバリ取り部を前記第２穴に挿入し、前記バリ取り工具を軸方向へストロークさせることにより、前記第１穴と前記第２穴との稜部に形成されたバリを前記バリ取り部に形成された環形状の切刃により削ぎ落として除去することを特徴とする。
【０００７】
（発明の態様）
以下に、本願において特許請求が可能と認識されている発明（以下、請求可能発明と称する）の態様を例示し、例示された各態様について説明する。ここでは、各態様を、特許請求の範囲と同様に、項に区分すると共に各項に番号を付し、必要に応じて他の項の記載を引用する形式で記載する。これは、請求可能発明の理解を容易にするためであり、請求可能発明を構成する構成要素の組み合わせを、以下の各項に記載されたものに限定する趣旨ではない。つまり、請求可能発明は、各項に付随する記載、実施形態の記載等を参酌して解釈されるべきであり、その解釈に従う限りにおいて、各項の態様にさらに他の構成要素を付加した態様も、また、各項の態様から構成要素を削除した態様も、請求可能発明の一態様となり得る。
なお、以下の各項において、（１）−（８）項の各々が、特許請求の範囲に記載した請求項１−８の各々に相当する。
【０００８】
（１）交差穴の第１穴と該第１穴の内径よりも小さい内径を有する第２穴との稜部に形成されたバリを除去する軸形状のバリ取り工具であって、バリ取り工具は、先端部に、第２穴の内径に対応する外径を有するバリ取り部を備え、バリ取り部は、外周面に環形状に形成された少なくとも１つの溝と、該溝と外周面との各稜部に形成された環形状の切刃と、を備え、バリ取り部を第２穴に挿入して軸方向へ往復動させることにより、第１穴と第２穴との稜部に形成されたバリが、バリ取り部の切刃により削ぎ落とされて除去されることを特徴とするバリ取り工具。
本項に記載のバリ取り工具によれば、第２穴に挿入したバリ取り部を軸方向へ往復動させることにより、第１穴と第２穴との稜部に形成されたバリを、環形状の切刃により削ぎ落とすことができる。この場合、バリ取り工具（バリ取り部）を第２穴に対して突込み方向へストロークさせた時に、溝部の軸方向両側に形成された切刃のうちのシャンク側に形成された切刃によりバリが削ぎ落とされ、バリ取り工具を第２穴に対して引抜き方向へストロークさせた時には、溝部の軸方向両側に形成された切刃のうちの先端側に形成された切刃によりバリが削ぎ落とされる。これにより、本項に記載のバリ取り工具を利用した場合、面取りによりバリを除去する従来技術のバリ取り工具では完全に除去することができなかった交差穴の稜部に形成されたバリ、特に、第１穴の内径d1と第２穴の内径d2との交差穴比d1/d2が比較的小さい交差穴の稜部に形成されたバリであっても、確実に除去することができる。なお、切刃により削ぎ落とされたバリは溝部に収容されるので、当該バリが第２穴とバリ取り部外周面との間に入り込むことに起因して第２穴の内周面を傷つけることがない。
本項の態様において、交差穴の第１穴および第２穴は、例えばドリル加工により加工される。なお、第１穴および第２穴は、ドリル加工後、リーマ加工等により仕上げ加工されている場合を含む。
【０００９】
（２）バリ取り部は、先端部から軸方向へ延びる少なくとも１つのすり割りを有する（１）のバリ取り工具。
本項に記載のバリ取り工具によれば、バリ取り部を第２穴の中で往復動させた時に、バリ取り部をすり割り幅の範囲内で第２穴の内径に応じて縮径／拡径させてバリ取り部を第２穴に調和（密着）させることにより、バリ取り部の切刃を第１穴と第２穴との稜部に当接させることができ、その結果、当該稜部に形成されたバリを確実に除去することができる。
本項の態様において、すり割りは、例えば、バリ取り工具の軸線上で直交する十字形に形成してバリ取り部を軸線回りに４等分するように形成することができる。
【００１０】
（３）バリ取り部とシャンク部との間に、シャンク部の外径よりも小さい外径を有するベンディング部を備え、該ベンディング部をバリ取り部と第２穴との芯ずれ量に応じて撓ませることにより、バリ取り部を第２穴に対して芯出しする（１）、（２）のバリ取り工具。
本項に記載のバリ取り工具によれば、当該バリ取り工具を工作機械の主軸に装着した場合、位置決めされたバリ取り工具（バリ取り部）が第２穴に対して芯ずれしていたとしても、ベンディング部を当該芯ずれ量に応じて撓ませることにより、バリ取り部を第２穴に対して確実に芯出しすることができる。
本項の態様において、ベンディング部の形状（外径、軸方向長さ等）は、必要に応じて設定することができる。
【００１１】
（４）バリ取り部は、先端部に、バリ取り部を第２穴の中へ案内する案内部を備える（１）〜（３）のバリ取り工具。
本項に記載のバリ取り工具によれば、当該バリ取り工具を工作機械の主軸に装着した場合、位置決めされたバリ取り工具（バリ取り部）が第２穴に対して芯ずれしていたとしても、案内部でバリ取り部を案内して該バリ取り部を第２穴の中へ確実に挿入することができる。
本項の態様において、案内部は、例えば、バリ取り部の先端部をテーパ形状に形成したり、あるいは、バリ取り部の先端部周縁にＲ形状を形成することにより構成することができる。
【００１２】
（５）交差穴の第１穴と該第１穴の内径よりも小さい内径を有する第２穴との稜部に形成されたバリを除去する方法であって、バリ取り工具の先端部のバリ取り部を第２穴に挿入し、バリ取り工具を軸方向へ往復動させることにより、第１穴と第２穴との稜部に形成されたバリを、バリ取り部に形成された環形状の切刃により削ぎ落として除去することを特徴とするバリ取り方法。
本項に記載のバリ取り方法によれば、第２穴に挿入したバリ取り部を軸方向へ往復動させることにより、第１穴と第２穴との稜部に形成されたバリを、バリ取り部の環形状の切刃により削ぎ落とすことができる。この場合、バリ取り工具（バリ取り部）を第２穴に対して突込み方向へストロークさせた時に、溝部の軸方向両側に形成された切刃のうちのシャンク側に形成された切刃によりバリが削ぎ落とされ、バリ取り工具を第２穴に対して引抜き方向へストロークさせた時には、溝部の軸方向両側に形成された切刃のうちの先端側に形成された切刃によりバリが削ぎ落とされる。これにより、本項のバリ取り方法で使用されるバリ取り工具を利用した場合、面取りによりバリを除去する従来技術のバリ取り工具を使用したバリ取り方法では完全に除去することができなかった交差穴の稜部に形成されたバリ、特に、第１穴の内径d1と第２穴の内径d2との交差穴比d1/d2が比較的小さい交差穴の稜部に形成されたバリであっても、確実に除去することができる。なお、切刃により削ぎ落とされたバリは、溝部に収容されるため、当該バリが第２穴とバリ取り部外周面との間に入り込むことに起因して第２穴の内周面を傷つけることがない。
本項の態様において、交差穴の第１穴および第２穴は、例えばドリル加工により加工される。なお、第１穴および第２穴は、ドリル加工後、リーマ加工等により仕上げ加工されている場合を含む。
【００１３】
（６）バリ取り工具を軸方向へ往復動させた時に、バリ取り部に形成された少なくとも１つのすり割りを利用して、バリ取り部の外径を第２穴の内径に応じて縮径／拡径させることにより、バリ取り部を第２穴に調和させる（５）のバリ取り方法。
本項に記載のバリ取り方法によれば、バリ取り部を第２穴の中で往復動させた時に、バリ取り部をすり割り幅の範囲内で第２穴の内径に応じて縮径／拡径させてバリ取り部を第２穴に調和（密着）させることにより、バリ取り部の切刃を第１穴と第２穴との稜部に当接させることができ、その結果、当該稜部に形成されたバリを確実に除去することができる。
本項の態様において、すり割りは、例えば、バリ取り工具の軸線上で直交する十字形に形成してバリ取り部を軸線回りに４等分するように形成することができる。なお、当該バリ取り方法に使用されるバリ取り工具を工作機械の主軸に装着した場合、バリ取り工具を単にストロークさせただけでは、第１穴と第２穴との稜部のすり割りに対応する部分に形成されたバリが除去されないことが考えられるが、この不具合は、バリ取り工具を回転させることで解消することができる。
【００１４】
（７）バリ取り部とシャンク部との間に形成されたベンディング部をバリ取り部と第２穴との芯ずれ量に応じて撓ませることにより、バリ取り部を第２穴に対して芯出しする（５）、（６）のバリ取り方法。
本項に記載のバリ取り方法によれば、当該バリ取り方法に使用されるバリ取り工具を工作機械の主軸に装着した場合、位置決めされたバリ取り工具（バリ取り部）が第２穴に対して芯ずれしていたとしても、ベンディング部を当該芯ずれ量に応じて撓ませることにより、バリ取り部を第２穴に対して確実に芯出しすることができる。
【００１５】
（８）バリ取り部の先端部に形成された案内部により、バリ取り部を第２穴の中へ案内する（５）〜（７）のバリ取り方法。
本項に記載のバリ取り方法によれば、当該バリ取り方法に使用されるバリ取り工具を工作機械の主軸に装着した場合、位置決めされたバリ取り工具（バリ取り部）が第２穴に対して芯ずれしていたとしても、案内部でバリ取り部を案内して該バリ取り部を第２穴の中へ確実に挿入することができる。
【発明の効果】
【００１６】
本発明によれば、交差穴の第１穴と第２穴との稜部に形成されたバリをより確実に除去することが可能なバリ取り工具およびバリ取り方法を提供することができる。
【図面の簡単な説明】
【００１７】
【図１】本実施形態のバリ取り工具の全体図である。
【図２】図１におけるバリ取り部の拡大図である。
【図３】本実施形態のバリ取り方法の説明図であって、案内部から第２穴の中へ挿入される様子を示す図である。
【図４】図３に示される状態からバリ取り工具がさらに突込まれて切刃形成部の先端部が第２穴に挿入された状態を示す図である。
【図５】バリ取り工具を軸方向へ往復動させることによりバリ取り部が縮径／拡径を繰り返す様子を示す図である。
【発明を実施するための形態】
【００１８】
本発明の一実施形態を添付した図を参照して説明する。ここでは、図３に示される自動車のオートマチックトランスミッションを構成するキャリア部品（ワーク）に加工された交差穴の、第１穴１と該第１穴１の内径d1よりも小さい内径d2を有する第２穴２との稜部３に形成されたバリを除去するための、バリ取り工具４ならびに該バリ取り工具４を使用して当該バリを除去する方法を説明する。なお、第２穴２は、第１穴１の加工後に加工されるものとする。
【００１９】
図１に示されるように、バリ取り工具４は、工具鋼により構成され、例えば、マシニングセンタの主軸にツールホルダを介して装着されるシャンク部５と、先端部（図１における下側部分）に形成されるバリ取り部６と、シャンク部５とバリ取り部６との間に形成されるベンディング部７と、を含む。バリ取り部６は、ベンディング部７に連続する基部８と、該基部８の外径d3よりも僅かに大きく（例えば、+0.2mm）かつ第２穴２の内径d2に対して+公差で形成された外径d4を有する切刃形成部９と、該切刃形成部９の端面に設けられる案内部１０と、を含む。案内部１０は、底面の直径d5が切刃形成部９の外径d4よりも小さい截頭円錐形に形成され、軸線Lに対して同軸に配置される。なお、案内部１０は、Ｒ形状１１（図２参照）を介して切刃形成部９に円滑に連続している。
【００２０】
図２に示されるように、切刃形成部９は、軸線L（図１参照）を中心とする環形状の溝部１２を有する。該溝部１２は、複数個（本実施形態では３個）が、軸方向（図２における上下方向）へ所定間隔で設けられる。また、切刃形成部９は、各溝部１２と切刃形成部９の外周面との各稜部に形成された環形状の切刃１３を有する。図１および図２に示されるように、バリ取り部６は、先端の案内部１０から軸方向へ延びる所定深さsのすり割り１４を有する。該すり割り１４は、軸断面が十字形に形成される。これにより、バリ取り部６は、先端の案内部１０からすり割り深さsまでの部分が軸線L回りに４等分されている。なお、すり割り１４の底部に形成された穴１５は、当該すり割り１４をワイヤカットにより加工するに際して加工されたピアス穴である。
【００２１】
ベンディング部７は、シャンク部５の外径d7およびバリ取り部６の基部８の外径d3よりも小さい外径d8を有し、両端部が面取りを介してシャンク部５およびバリ取り部６の基部８にそれぞれ連続している。なお、ベンディング部７の外径d8および全長bは、例えば、バリ取り工具４をマシニングセンタの主軸に装着して第２穴２に対して同軸に位置決めした時の第２穴２に対するバリ取り工具４の芯ずれ量を、当該ベンディング部７の撓みにより吸収することができる程度に設定する。
【００２２】
次に、本実施形態の作用を説明する。なお、交差穴をマシニングセンタを利用して加工する場合を説明する。
まず、自動工具交換装置（ATC）により第１穴１を加工するための第１ドリルが取り付けられた工具ホルダをマシニングセンタの主軸に装着し、該第１ドリルによりワーク（キャリア部品）に第１穴１を加工する。次に、自動工具交換装置によりマシニングセンタの主軸に第２穴２を加工するための第２ドリルが取り付けられた工具ホルダを装着し、該第２ドリルによりワークに第２穴２を加工する。これにより、ワークには、第１穴１と第２穴２とが直交し、第１穴１の内側面に第２穴２が開口した交差穴（図３参照）が形成される。なお、第１穴１と第２穴２との稜部３には、三次元に広がるバリが形成される。
【００２３】
次に、自動工具交換装置により本実施形態のバリ取り工具４が取り付けられた工具ホルダをマシニングセンタの主軸に装着し、バリ取り工具４を第２穴２に対して同軸上に位置決めする。次に、第２穴２とバリ取り工具４との同軸を維持した状態でバリ取り工具４を第２穴２にアプローチさせる。この時、マシニングセンタの位置決め精度等に起因して第２穴２とバリ取り工具４とが芯ずれしていたとしても、バリ取り工具４の先端の案内部１０により、バリ取り部６を第２穴２の中へ円滑に案内することができる。さらに、バリ取り工具４を第１穴１の軸心に向けて軸線L方向（図３における左方向）へ移動させると、図４に示されるように、バリ取り部６の切刃形成部９の先端部が第２穴２に挿入される。
【００２４】
ここで、本実施形態のバリ取り工具４は、切刃形成部９の外径d4を第２穴２の内径d2に対して+公差に形成し、かつ、バリ取り部６に十字形のすり割り１４を設けて切刃形成部９を縮径可能に形成したので、切刃形成部９を第２穴２に密着させることができる。また、バリ取り工具４は、切刃形成部９の第２穴２に対する芯ずれ量（芯ずれ方向を含む）に応じてベンディング部７を撓ませることにより、当該芯ずれ量を吸収することができる。そして、図５に示されるように、バリ取り工具４を軸線L方向（図５における左右方向）へ往復動させると、切刃形成部９は必要に応じて縮径と拡径とを繰り返しながら第２穴２に調和（密着）し、溝部１２の軸方向両側に形成された環形状の切刃１３により、第１穴１と第２穴２との稜部３のバリが削ぎ落とされて除去される。
【００２５】
ここで、バリ取り工具４を突込み側（図３における左側）へストロークさせた時に、溝部１２の軸方向両側の切刃１３のうちのシャンク側（図３における右側）の切刃１３ａによりバリが突込み側へ削ぎ落とされる。また、バリ取り工具４を引抜き側（図３における右側）へストロークさせた時に、溝部１２の軸方向両側の切刃１３のうちの先端側（図３における左側）の切刃１３ｂによりバリが引抜き側へ削ぎ落とされる。なお、稜部３の除去されたバリは、溝部１２に収容することができる。また、バリ取り工具４を軸線L方向へ往復動させると同時に軸線L回りに所定回転数で回転させることにより、稜部３のすり割り１４に対応する位置に形成されたバリであっても、確実に除去することができる。
【００２６】
この実施形態では以下の効果を奏する。
本実施形態によれば、バリ取り部６を第２穴２に挿入し、バリ取り工具４を軸線L方向へ往復動させることにより、交差穴の第１穴１と第２穴２との稜部３に形成されたバリを、バリ取り部６の切刃形成部９の環形状の切刃１３により削ぎ落として除去することができる。これにより、面取りによりバリを除去する従来技術のバリ取り工具を利用した場合に完全に除去することが困難であった交差穴の稜部３に形成されたバリ、特に、第１穴１の内径d1と第２穴の内径d2との交差穴比d1/d2が比較的小さい交差穴の稜部３に形成されたバリであっても、確実に除去することができる。また、切刃１３により削ぎ落とされた稜部３のバリは溝部１２に収容されるので、除去された稜部３のバリが第２穴２とバリ取り部６との間に入り込むことに起因して第２穴２の内周面を傷つけてしまうことはない。
本実施形態では、切刃形成部９の外径d4を第２穴２の内径d2に対して+公差に形成するとともにバリ取り部６に十字形のすり割り１４を設けたことにより、バリ取り部６を第２穴２の中で往復動させた時に、バリ取り部６をすり割り幅の範囲内で第２穴２の内径d2に応じて縮径／拡径させて切刃形成部９を第２穴２に調和（密着）させたので、切刃形成部９の切刃１３を第１穴１と第２穴２との稜部３に当接させることができ、その結果、当該稜部３に形成されたバリを確実に除去することができる。
本実施形態では、バリ取り部６とシャンク部５との間に、該シャンク部５の外径d7よりも小さい外径d8を有するベンディング部７を備え、該ベンディング部７をバリ取り部６と第２穴２との芯ずれ量に応じて撓ませて、当該芯ずれを吸収するように構成したので、例えば、バリ取り工具４をマシニングセンタの主軸に装着した場合、位置決めされたバリ取り工具４（バリ取り部６）が第２穴２に対して芯ずれしていたとしても、芯ずれ量に応じてベンディング部７を撓ませることにより、バリ取り部６を第２穴２に対して芯出しすることができる。
本実施形態では、バリ取り工具４の先端部に、バリ取り部６を第２穴２の中へ案内する案内部１０を設けたので、例えば、バリ取り工具４をマシニングセンタの主軸に装着した場合、位置決めされたバリ取り工具４（バリ取り部６）が第２穴２に対して芯ずれしていたとしても、案内部１０でバリ取り部６を第２穴２の中へ案内して第２穴２に確実に挿入することができる。
【００２７】
なお、実施形態は上記に限定されるものではなく、例えば次のように構成してもよい。
本実施形態では、バリ取り工具４のバリ取り部６の切刃形成部９に形成した溝１２を断面コ字状に形成したが、溝１２は、例えばＶ溝とすることもできる。また、溝部１２の幅、数量および隣の溝部１２との間隔も必要に応じて設定することができる。
本実施形態では、すり割り１４を十字形に形成して切刃形成部９を軸心L回りに４等分したが、例えば、切刃形成部９を軸心L回りに３等分するようにすり割り１４を形成することができる。
本実施形態では、交差穴が形成される対象を自動車のオートマチックトランスミッションのキャリア部品としたが、これは、対象をキャリア部品に限定することを意図するものではない。
本実施形態では、バリ取り工具４をマシニングセンタの主軸に装着して使用したが、作業者の手作業により当該バリ取り工具４のバリ取り部６を第２穴２に挿入して往復動させることにより、交差穴の稜部３のバリを削ぎ落として除去することもできる。
第１穴１および第２穴２を加工する工具はドリルに限定しない。また、ドリル加工後、あるいはバリの除去後、第１穴１あるいは第２穴２をリーマ等により仕上げ加工してもよい。
【符号の説明】
【００２８】
１  第１穴、２  第２穴、３  稜部、４  バリ取り工具、６  バリ取り部、７  ベンディング部、１０  案内部、１１  Ｒ形状（案内部）、１２  溝部、１３  切刃、１４  すり割り
【図１】
2011110667.tif 000003
【図２】
2011110667.tif 000004
【図３】
2011110667.tif 000005
【図４】
2011110667.tif 000006
【図５】
2011110667.tif 000007